【手続補正書】
【提出日】平成17年8月23日(2005.8.23)
【手続補正１】
【補正対象書類名】明細書
【補正対象項目名】特許請求の範囲
【補正方法】変更
【補正の内容】
【特許請求の範囲】
【請求項１】
汚泥或いは脱水物の脱水及び通電を可能とし、円筒状或いは円錐状の脱水筒を設け絶縁に支持させて備え、円筒状或いは円錐状の筒状面を複数に絶縁分割し、その絶縁分割各々を一体に構成させる分割電極筒を設け、その分割電極筒を上記脱水筒に挿入させて収納し、所定の間隙を設けて回転可能且つ絶縁に支持させて備え、上記分割電極筒の絶縁分割各々個々に三相交流電源の電源各々個々或いは配線其々の個々を接続させ、上記脱水筒及び上記分割電極筒の所定な間隙に汚泥或いは脱水物を供給し、上記汚泥或いは脱水物に上記三相交流電源の電源或いは電力を短絡させて上記汚泥或いは脱水物に三相交流電気浸透脱水作用を働かせる三相交流電気浸透脱水回路或いは三相交流電気浸透脱水電極領域を構成或いは形成させて構成する三相交流電気浸透脱水方式及びその装置と、上記三相交流電源の電源各々個々或いは配線其々個々に電流の逆流防止手段を接続させて設け、上記脱水筒に並列且つ複数な電流の逆流阻止手段を接続させて設け、その逆流阻止手段其々の電流下流側端末其々を上記逆流防止手段其々の電流上流側其々個々の位置に接続させ、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置と、上記分割電極筒の絶縁分割各々を解除し単体電極筒に換え備え、上記逆流防止手段を各々に備える上記三相交流電源の電源其々を接続させ、上記脱水筒を複数且つ絶縁に分割し一体に構成させる分割脱水筒に換え備え、その分割脱水筒の絶縁分割其々個々に電流の逆流阻止手段其々を接続させて設け、その逆流阻止手段其々の電流下流側端末其々を上記三相交流電源の電源其々に備える上記電流逆流防止手段の電流上流側の位置個々に接続し、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置と、上記分割脱水筒の複数な絶縁分割を解除し上記脱水筒に換え備え、上記脱水筒に並列且つ複数な電流の逆流阻止手段を接続させて設け、その逆流阻止手段其々の電流下流側端末其々を上記逆流防止手段其々の電流上流側其々個々の位置に接続させ、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置。
【請求項２】
軸を有し回転、支持、絶縁を可能とする円筒状のドラムを設け、その円筒状ドラム面を複数に絶縁分割し一体の分割ドラム電極筒を構成させて設け、その絶縁分割各々個々に三相交流電源の電源各々或いは配線其々個々を接続させ、汚泥或いは脱水物の脱水及び通電、屈曲自在且つ無限軌道回転を可能とする無限軌道電極帯を設け、その無限軌道電極帯に回転、駆動、通電、絶縁支持、緊張を可能とする一対の複数な懸架軸を挿入させて設け、その一対な懸架軸に上記無限軌道電極帯、その無限軌道電極帯の上記一対な懸架軸の双方間に上記分割ドラム電極筒を回転略外接させて一対に懸架し支持させて備え、上記分割ドラム電極筒及び上記無限軌道電極帯の回転略外接面或いは間隙に上記汚泥或いは脱水物を供給し、上記汚泥或いは脱水物に上記三相交流電源の電源或いは電力を短絡させて上記汚泥或いは脱水物に三相交流電気浸透脱水作用を働かせる三相交流電気浸透脱水回路或いは三相交流電気浸透脱水電極領域を構成或いは形成させて構成する三相交流電気浸透脱水方式及びその装置と、上記分割ドラム電極筒の絶縁分割各々に接続する三相交流電源の各々に電流の逆流防止手段各々を接続させて備え、上記無限軌道電極帯に並列且つ複数な電流の逆流阻止手段を接続させて設け、その逆流阻止手段其々の電流下流側端末其々を上記逆流防止手段其々の電流上流側其々個々の位置に接続させ、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置と、上記分割ドラム電極筒の絶縁分割各々を解除し、上記単体電極筒に換え備え、上記電流の逆流防止手段を各々に備える上記三相交流電源其々を上記単体電極筒に接続させ、上記無限軌道電極帯を複数且つ絶縁分割し一帯状に連結構成させる無限軌道回転、脱水、通電を可能とする分割無限軌道電極帯に換え備え、その分割無限軌道電極帯の複数な絶縁分割其々個々に接触し通電させる複数の接触通電手段を設け備えて配備させ、その接触通電手段其々に電流の逆流阻止手段其々を接続させて設け、その逆流阻止手段の電流下流側端末其々を上記逆流防止手段の電流上流側其々個々の位置に接続させ、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置と、上記分割無限軌道電極帯の複数な絶縁分割を解除し、上記無限軌道電極帯に上記所定な懸架軸を所定に設け、その懸架軸を所定に絶縁し三分割する無限軌道電極帯をその分割各々に脱水、通電、無限軌道回転を可能とし一連に連結させて構成させる三分割無限軌道電極帯に換えて備え、その三分割無限軌道電極帯の分割無限軌道電極帯各々に電流の逆流阻止手段を接続させて備え、その逆流阻止手段の電流下流側端末を上記逆流防止手段其々の電流上流側の位置個々に接続させ、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置。
【請求項３】
汚泥或いは脱水物の脱水及び通電を可能とし、屈曲自在、無限軌道回転を可能とする無限軌道電極ベルトを設け、駆動回転、通電、支持、緊張を可能とし双方を一対とする通電支持軸を上記無限軌道電極ベルトの無限軌道に挿入し双方に緊張させ支持させて所定の間隙を設けて上下二段に備え、上段の無限軌道電極ベルトに電流の逆流防止手段各々を備える三相交流電源の電源各々を接続させて備え、下段の無限軌道電極ベルトに電流の逆流阻止手段各々を並列且つ複数に備え、その逆流阻止手段各々の電流下流側端末其々を上記逆流防止手段の電流上流側の位置個々に接続させ、上記上段及び下段の所定な間隙に上記汚泥或いは脱水物を供給させ上記汚泥或いは脱水物に上記三相交流電源の電源或いは電力を短絡させて上記汚泥或いは脱水物に三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置と、上記上段無限軌道電極ベルトを上記所定の通電支持軸を所定に備え上記無限軌道電極ベルト同等模様に三分割し上記所定の通電支持軸を絶縁させて連結させ上段一連の三分割無限軌道電極帯を配置して換え備え、その三分割無限軌道電極帯の分割無限軌道電極帯各々に三相交流電源の電源其々を接続させて、上記同様の汚泥或いは脱水物に三相交流電流或いは電力を短絡させて三相交流電気浸透脱水作用を働かせる三相交流電気浸透脱水回路或いは三相交流電気浸透脱水電極領域を構成或いは形成させて構成する三相交流電気浸透脱水方式及びその装置と、上記の分割無限軌道電極帯各々に接続する三相交流電源の電源各々に電流の逆流防止手段各々を接続させて備え、上記下段の無限軌道電極ベルトに電流の逆流阻止手段を並列且つ複数に接続させて備え、その備える逆流阻止手段の電流下流側端末其々を上記逆流防止手段の電流上流側の位置個々に接続させ、上記同様の汚泥或いは脱水物に三相交流半波整流電流或いは電力を短絡させて三相交流半波整流電気浸透脱水作用を働かせる三相交流半波整流電気浸透脱水回路或いは三相交流半波整流電気浸透脱水電極領域を構成或いは形成させて構成する三相交流電気浸透脱水方式及びその装置。
【請求項４】
請求項２、３に記載の三相交流電気浸透脱水方式及びその装置に有って、無限軌道電極帯、分割無電軌道電極帯、下段の無限軌道電極ベルトの略外接面に汚泥或いは脱水物を脱水する脱水濾過布を循環配備させて備える三相交流電気浸透脱水方式及びその装置と、請求項２、３に記載の三相交流電気浸透脱水方式及びその装置に有って、分割ドラム電極筒、単体ドラム電極筒、無限軌道電極ベルトの略外接面に汚泥或いは脱水物を脱水する脱水濾過布を循環配備させて備える三相交流電気浸透脱水方式及びその装置と、請求項１、２、３に記載の三相交流電気浸透脱水方式及びその装置に有って、脱水筒、分割脱水筒、無限軌道電極帯、分割無限軌道電極帯、下段無限軌道電極ベルトにパンチングメタル或いは金属網を用い構成させる三相交流電気浸透脱水方式及びその装置と、請求項２に記載の三相交流電気浸透脱水方式及びその装置に有って、分割電極筒、単体電極筒の表面スケールを金属性の刃状スクレーパーを絶縁させて備え構成させる三相交流電気浸透脱水方式及びその装置と、請求項２、３に記載の三相交流電気浸透脱水方式及びその装置に有って、備えるパンチングメタル通電面の付着スケールを掻取る摺動回転掻取手段を脱水濾布に備えて構成させる三相交流電気浸透脱水方式及びその装置と、請求項２、３に記載の三相交流電気浸透脱水方式及びその装置に有って、分割電極筒、単体電極筒、分割無限軌道電極帯の電極表面に電極表面を腐食させる塩水、希釈塩酸溶液、希釈硫酸溶液、希釈苛性ソーダ溶液を噴霧する噴霧手段を備えて構成させる三相交流電気浸透脱水方式及びその装置。
【請求項５】
請求項１、２、３、４に記載の三相交流電気浸透脱水方式及びその装置に有って、電気浸透電圧を４０ボルト以上、４００ボルト以下とする電気浸透脱水方式及びその装置と、請求項１、２、３、４に記載の三相交流電気浸透脱水方式及びその装置に有って、汚泥或いは脱水物の含水分を脱水或いは蒸発させる電気浸透脱水消費電力を１．５Ｋｇ／Ｋｗ／Ｈｒ以上、７．５Ｋｇ／Ｋｗ／Ｈｒ以下とする電気浸透脱水方式及びその装置と、請求項１、２、３、４に記載の三相交流電気浸透脱水方式及びその装置に有って、含水率を８５％から８３％を基準とする汚泥或いは脱水物の脱水処理供給厚を４ｍｍ以上、１５ｍｍ以下とする電気浸透脱水方式及びその装置と、請求項１、２、３、４に記載の三相交流電気浸透脱水方式及びその装置に有って、電気浸透脱水周波数を４０Ｈｚ以上、４００Ｈｚ以下とする電気浸透脱水方式及びその装置。
【請求項６】
請求項１、２、３、４に記載の三相交流電気浸透脱水方式及びその装置に有って、汚泥或いは脱水物の脱水含水率或いは蒸発脱水含水率を７１％以下に下げ、通気脱水乾燥システムと併合させて汚泥或いは脱水物の最終含水率を２０％以下に下げる三相交流電気浸透脱水通気脱水乾燥システム及びその装置と、上記システムの通気脱水乾燥システムに廃熱エネルギーを用いる三相交流電気浸透脱水通気脱水乾燥システム及びその装置と、上記システムの通気脱水乾燥システムの消費電力経費を０．３Ｋｗ／Ｋｇ（汚泥或いは脱水物の乾燥重量）／Ｄ以下とする三相交流電気浸透脱水通気脱水乾燥システム及びその装置